Podtech/llm-jp-corpus-v4-ja_patent huggingface dataset:
【手続補正書】
【提出日】平成30年8月29日(2018.8.29)
【手続補正１】
【補正対象書類名】特許請求の範囲
【補正対象項目名】全文
【補正方法】変更
【補正の内容】
【特許請求の範囲】
【請求項１】
ディスプレイデバイス上にインクコンテンツをレンダリングするための方法であって、
インク入力アクションを受信するためのアクションコンテキストを定義すること、
アプリケーションによって入力アクションを受信することであって、前記入力アクションは入力コンテキストを有すること、
前記入力コンテキストは前記アクションコンテキストによって指定された基準を満たすため、前記入力アクションをインク作成アクションとして検出すること、
前記インク作成アクションをウェットインクレンダリングスレッドに導くことであって、前記ウェットインクレンダリングスレッドは、前記アプリケーション用のアプリケーション処理スレッドとは異なること、
前記ウェットインクレンダリングスレッドによって、前記インク作成アクションコンテンツをレンダリングしてウェットインクコンテンツを生成すること、
ディスプレイに前記ウェットインクコンテンツを出力すること、
インク作成の終わりに対応する追加の入力アクションを検出すること、
前記インク作成の終わりに対応する前記追加の入力アクションを検出した後、前記ウェットインクコンテンツを中間インクコンテンツに変換すること、
前記中間インクコンテンツを前記アプリケーションレンダリングスレッドに転送すること、
前記アプリケーションレンダリングスレッドによる前記中間インクコンテンツの前記レンダリングと、前記ウェットインクレンダリングスレッドによってレンダリングされた前記ウェットインクコンテンツの前記除去と、を同期化すること、
前記インク作成アクションをアプリケーション処理スレッドに転送すること、
前記アプリケーション処理スレッドによって、前記インク作成アクションをレンダリングして、ドライインクコンテンツを生成すること、及び、
前記ウェットインクレンダリングスレッドによってレンダリングされた前記中間インクコンテンツを除去するとともに、前記ドライインクコンテンツをディスプレイに出力すること、
を含む、方法。
【請求項２】
前記モードコンテキストは、ペン入力、スタイラス入力、タッチ入力、マウス入力、又はそれらの組み合わせの、入力モードを含む、請求項１に記載の方法。
【請求項３】
前記アクションコンテキストは、位置コンテキストを更に含む、請求項１に記載の方法。
【請求項４】
前記位置コンテキストは、前記ディスプレイデバイスの表示域の或る領域を含み、前記領域は前記表示域の全域よりも小さい、請求項３に記載の方法。
【請求項５】
前記位置コンテキストは、前記ディスプレイデバイスの表示域の複数の領域を含む、請求項３に記載の方法。
【請求項６】
前記位置コンテキストは、複数の表示域からの複数の領域を含む、請求項３に記載の方法。
【請求項７】
前記入力コンテキスト及び前記アクションコンテキストのうちの少なくとも１つは、前記ウェットインクレンダリングスレッドによってレンダリングされる前記ウェットインクコンテンツに関する１つ以上の表示プロパティを更に含む、請求項１に記載の方法。
【請求項８】
前記ウェットインクレンダリングスレッドによる前記インク作成アクションの前記レンダリングの間、前記ウェットインクレンダリングスレッドによってレンダリングされる前記ウェットインクコンテンツに関する変更された１つ以上の表示プロパティを形成するために、前記１つ以上の表示プロパティが更新されたことを検出すること、及び、
前記変更された１つ以上の表示プロパティを使用して、前記インク作成アクションの少なくとも一部をレンダリングすること、
を更に含む、請求項７に記載の方法。
【請求項９】
前記１つ以上の表示プロパティが更新されたことの検出に先立ってレンダリングされた前記ウェットインクコンテンツの少なくとも一部は、前記インク作成の終わりに対応する前記追加の入力アクションの検出に先立って前記変更された１つ以上の表示プロパティを用いてレンダリングされる、請求項８に記載の方法。
【請求項１０】
前記アクションコンテキストは、インク作成コンテキストを更に含む、請求項１に記載の方法。
【請求項１１】
プロセッサと、コンピュータ記憶メモリと、を備えるコンピューティングシステムであって、
前記コンピュータ記憶メモリは、前記プロセッサによって実行された時に、ディスプレイデバイス上でインクコンテンツをレンダリングするための方法を実装する、コンピュータ実行可能命令をその上に記憶しており、
前記方法は、
インク入力アクションを受信するためのアクションコンテキストを定義すること、
アプリケーションによって入力アクションを受信することであって、前記入力アクションは入力コンテキストを有すること、
前記入力コンテキストは前記アクションコンテキストによって指定された基準を満たすため、前記入力アクションをインク作成アクションとして検出すること、
前記インク作成アクションをウェットインクレンダリングスレッドに導くことであって、前記ウェットインクレンダリングスレッドは前記アプリケーション用のアプリケーション処理スレッドとは異なること、
前記ウェットインクレンダリングスレッドによって、前記インク作成アクションをレンダリングしてウェットインクコンテンツを生成すること、
ディスプレイに前記ウェットインクコンテンツを出力すること、
インク作成の終わりに対応する追加の入力アクションを検出すること、
前記インク作成の終わりに対応する前記追加の入力アクションを検出した後、前記ウェットインクコンテンツを中間インクコンテンツに変換すること、
前記中間インクコンテンツを前記アプリケーションレンダリングスレッドに転送すること、
前記アプリケーションレンダリングスレッドによる前記中間インクコンテンツの前記レンダリングと、前記ウェットインクレンダリングスレッドによってレンダリングされた前記ウェットインクコンテンツの前記除去と、を同期化すること、
前記インク作成アクションをアプリケーション処理スレッドに転送すること、
前記アプリケーション処理スレッドによって、前記インク作成アクションをレンダリングして、ドライインクコンテンツを生成すること、及び、
前記ウェットインクレンダリングスレッドによってレンダリングされた前記中間インクコンテンツを除去するとともに、前記ドライインクコンテンツをディスプレイに出力すること、を含む、
コンピューティングシステム。
【請求項１２】
前記入力コンテキスト及び前記アクションコンテキストのうちの少なくとも１つは、前記ウェットインクレンダリングスレッドによってレンダリングされる前記ウェットインクコンテンツに関する１つ以上の表示プロパティを更に含む、請求項１１に記載のコンピューティングシステム。
【誤訳訂正書】
【提出日】平成30年8月7日(2018.8.7)
【誤訳訂正１】
【訂正対象書類名】特許請求の範囲
【訂正対象項目名】全文
【訂正方法】変更
【訂正の内容】
【特許請求の範囲】
【請求項１】
電子構成部品と、
第１基材と、
第２基材と、
ポリウレタンプレポリマーから誘導された、硬化した湿気硬化型ホットメルト接着剤組成物と
を含む電子装置であって、
前記第１基材は、前記接着剤組成物により前記第２基材に結合され、
前記硬化した接着剤組成物は、
約３０分間にわたり少なくとも６０℃から１００℃以下までの温度で前記装置を調整した後、前記第１基材と前記第２基材の少なくとも１つから完全に除去可能であり、
少なくとも３ＭＰａの信頼性破断応力を示す、
電子装置。
【請求項２】
前記ポリウレタンプレポリマーは、
４０℃以上の融点、および、少なくとも５５００ｇ／ｍｏｌから約２０，０００ｇ／ｍｏｌまでの数平均分子量を有する第１結晶性ポリエステルポリオールと、
４０℃以上の融点を有する第２結晶性ポリエステルポリオールであって、５５００ｇ／ｍｏｌ未満の数平均分子量を有し、かつ、ジオールとポリカルボン酸から誘導された結晶性ポリエステルポリオール、および、５００ｇ／ｍｏｌから約５０，０００ｇ／ｍｏｌまでの数平均分子量を有するポリカプロラクトンポリオールからなる群から選択される第２結晶性ポリエステルポリオールと、
ポリイソシアネートと
の反応生成物を含む、請求項１に記載の電子装置。
【請求項３】
前記ポリウレタンプレポリマーは、
４０℃以上の融点、および、少なくとも５５００ｇ／ｍｏｌから約２０，０００ｇ／ｍｏｌまでの数平均分子量を有する第１結晶性ポリエステルポリオールと、
４０℃以上の融点を有する第２結晶性ポリエステルポリオールであって、５５００ｇ／ｍｏｌ未満の数平均分子量を有し、かつ、ジオールとポリカルボン酸から誘導された結晶性ポリエステルポリオール、および、５００ｇ／ｍｏｌから約５０，０００ｇ／ｍｏｌまでの数平均分子量を有するポリカプロラクトンポリオールからなる群から選択される第２結晶性ポリエステルポリオールと、
ポリエーテルポリオールと、
２５℃以下の融点を有する第３ポリエステルポリオールと、
ポリイソシアネートと
の反応生成物を含む、請求項１に記載の電子装置。
【請求項４】
前記第１基材は、約３０分間にわたり少なくとも６０℃から１００℃以下の温度で前記装置を調整した後、前記第１基材と前記第２基材の少なくとも１つを損傷させることなく、前記第２基材から分離可能である、請求項１に記載の電子装置。
【請求項５】
前記第１基材を前記第２基材から分離した後、前記第２基材上に存在する前記硬化した接着剤組成物の残留物を全て、前記第２基材から完全に除去可能である、請求項４に記載の電子装置。
【請求項６】
前記硬化した接着剤組成物は、少なくとも４の剥離度を示す、請求項１に記載の電子装置。
【請求項７】
前記第１基材は、７２時間にわたり８５℃、および、相対湿度８５％で前記装置を調整し、前記装置を室温まで冷却した後、前記第２基材と恒久的に結合したままである、請求項１に記載の電子装置。
【請求項８】
約３０分間にわたり、少なくとも６０℃から１００℃以下までの温度で物品を調整するステップであって、前記物品は、
第１基材と、
第２基材と、
硬化した湿気硬化型ポリウレタンホットメルト接着剤組成物と
を含み、前記第１基材は、前記硬化した接着剤組成物により前記第２基材に結合するステップと、
前記第１基材と前記第２基材の少なくとも１つを損傷させることなく、前記第１基材を前記第２基材から分離させるステップと
前記第１基材から前記接着剤組成物を完全に除去するステップと
を含む、物品をリワークする方法。
【請求項９】
前記分離させるステップは、人により実施され、前記第１基材の少なくとも一部を第１の手で把持するステップと、前記第２基材の少なくとも一部を第２の手で把持するステップと、前記２枚の基材を互いに引き離すステップとを含む、請求項８に記載の方法。
【請求項１０】
前記方法は、前記２枚の基材を分離した後、剥離力を使って、前記接着剤組成物を前記第１基材から完全に除去するステップを更に含む、請求項８に記載の方法。
【請求項１１】
４０℃以上の融点、１２０℃以下の軟化点、および、少なくとも５５００ｇ／ｍｏｌから２０，０００ｇ／ｍｏｌ以下までの数平均分子量を有する第１結晶性ポリエステルポリオールと、
４０℃以上の融点、９５℃以下の軟化点、および、約５００ｇ／ｍｏｌから約５０，０００ｇ／ｍｏｌまでの数平均分子量を有する第２結晶性ポリエステルポリオールであって、前記第１結晶性ポリエステルポリオールとは異なる第２結晶性ポリエステルポリオールと、
４０℃以下の融点を有する第３ポリエステルポリオールと、
ポリエーテルポリオールと、
ポリイソシアネートと
の反応生成物を含むポリウレタンプレポリマーを含む湿気硬化型ポリウレタン接着剤組成物であって、
前記接着剤組成物は、少なくとも５ＭＰａの２５℃破断応力、および、１ＭＰａ以下の８０℃破断応力を示し、８０℃破断応力試験法に準拠する１分以内の試験中に、ポリカーボネート基材から完全に除去できる、湿気硬化型ポリウレタン接着剤組成物。
【請求項１２】
前記ポリウレタンプレポリマーは、
１重量％から６０重量％の前記第１結晶性ポリエステルポリオールと、
１重量％から４０重量％の前記第２結晶性ポリエステルポリオールと、
１０重量％から６０重量％の前記第３ポリエステルポリオールと
の反応生成物を含む、請求項１１に記載の湿気硬化型ポリウレタン接着剤組成物。
【請求項１３】
第１基材と、
第２基材と、
硬化した接着剤組成物と
を含む物品であって、前記第１基材は、前記硬化した接着剤組成物により前記第２基材に結合し、前記硬化した接着剤組成物は、
少なくとも５５００ｇ／ｍｏｌから２０，０００ｇ／ｍｏｌまでの数平均分子量、４０℃以上の融点、および、１２０℃以下の軟化点を有する第１結晶性ポリエステルポリオールと、
４０℃以上の融点、９５℃以下の軟化点、および、約５００ｇ／ｍｏｌから約５０，０００ｇ／ｍｏｌまでの数平均分子量を有する第２結晶性ポリエステルポリオールであって、前記第１結晶性ポリエステルポリオールとは異なる第２結晶性ポリエステルポリオールと、
ポリイソシアネートと
の反応生成物を含むポリウレタンプレポリマーから誘導され、
前記接着剤組成物は、約３０分間にわたり少なくとも６０℃から１００℃以下までの温度で前記物品を調整した後、溶剤の使用、または、研磨作用なしに前記第１基材と前記第２基材の少なくとも１つから完全に除去可能であり、
前記硬化した接着剤組成物は、少なくとも５ＭＰａの２５℃破断応力、および、１ＭＰａ以下の８０℃破断応力を示す、物品。
【手続補正書】
【提出日】平成30年8月10日(2018.8.10)
【手続補正１】
【補正対象書類名】特許請求の範囲
【補正対象項目名】全文
【補正方法】変更
【補正の内容】
【特許請求の範囲】
【請求項１】
コンテンツ配信を容易にするためのコンピュータで実行される方法であって、
コンテンツ配信ネットワーク内のノードで、前記コンテンツ配信ネットワークにおけるブロードキャストレディネスのテストのためのコンフィギュレーション情報を、前記コンテンツ配信ネットワーク内のコンフィギュレーションサーバから取得するステップと、
前記コンフィギュレーション情報を用いて前記ノードを前記テストに参加するように構成するステップとを含み、前記テストは、前記ノード上のメディア配信アプリケーションを用いて、前記コンテンツ配信ネットワークから受信したコンテンツを、前記テストを実施するためのユーザ入力を必要とすることなく、再生することを含み、
前記テスト中において、前記ノードを用いて、前記ノードに関連するステータス情報を、前記コンテンツ配信ネットワーク内の収集サーバに定期的に提供するステップを含む、コンピュータで実行される方法。
【請求項２】
前記コンフィギュレーション情報を前記コンフィギュレーションサーバから取得する前に、前記コンフィギュレーション情報の要求を、前記ノードから前記コンフィギュレーションサーバに定期的に送信するステップをさらに含む、請求項１に記載のコンピュータで実行される方法。
【請求項３】
前記コンフィギュレーション情報に含まれる前記テストの開始時間に達した後に、前記ノードに対する前記テストを開始するステップをさらに含む、請求項１または２に記載のコンピュータで実行される方法。
【請求項４】
前記コンフィギュレーション情報に含まれる前記テストの終了時間に達した後に、前記ノードに対する前記テストを終了するステップをさらに含む、請求項３に記載のコンピュータで実行される方法。
【請求項５】
前記コンフィギュレーション情報は、前記開始時間および前記終了時間のうちの少なくとも一方に関連するジッタをさらに含む、請求項４に記載のコンピュータで実行される方法。
【請求項６】
前記コンフィギュレーション情報は、アドレス範囲、サブネット、参加パーセンテージ、参加レベル、テストストリーム、隠れフラグ、およびログ送信フラグのうちの少なくとも１つをさらに含む、請求項４に記載のコンピュータで実行される方法。
【請求項７】
前記テストは、前記ノード上の前記メディア配信アプリケーションの再生スクリーンを隠すことをさらに含む、請求項１〜６のいずれか１項に記載のコンピュータで実行される方法。
【請求項８】
前記ステータス情報は、再生ステータス、バッファリングステータス、ストールステータス、停止ステータス、一時停止ステータス、および開始ステータスのうちの少なくとも１つを含む、請求項１〜７のいずれか１項に記載のコンピュータで実行される方法。
【請求項９】
ネットワークテストを容易にするためのコンピュータで実行される方法であって、
コンテンツ配信ネットワーク内の一組のノードに関するステータス情報を取得するステップを含み、前記ステータス情報は、前記ノード上のメディア配信アプリケーションによる、前記コンテンツ配信ネットワークからのコンテンツの再生に関連し、
前記ステータス情報の視覚表現をユーザに対して表示するステップと、
前記視覚表現を更新するための１つ以上のオプションを前記ユーザに提供するステップとを含む、コンピュータで実行される方法。
【請求項１０】
前記ステータス情報は、再生ステータス、バッファリングステータス、ストールステータス、停止ステータス、一時停止ステータス、および開始ステータスのうちの少なくとも１つを含む、請求項９に記載のコンピュータで実行される方法。
【請求項１１】
前記ステータス情報は、前記コンテンツ配信ネットワークにおけるブロードキャストレディネスのテスト中に、前記ノードによって生成され、
前記ブロードキャストレディネスのテストは、前記ノードのうちの各ノード上のメディア配信アプリケーションを用いて、前記コンテンツ配信ネットワークから受信したコンテンツを、前記テストを実施するためのユーザ入力を必要とすることなく、再生することを含む、請求項９または１０に記載のコンピュータで実行される方法。
【請求項１２】
前記１つ以上のオプションは、フィルタ、ソートオプション、およびタイムスケールのうちの少なくとも１つを含む、請求項９〜１１のいずれか１項に記載のコンピュータで実行される方法。
【請求項１３】
コンテンツ配信を容易にするためのシステムであって、
コンテンツ配信ネットワークにおけるブロードキャストレディネスのテストのためのコンフィギュレーション情報をユーザから取得するように構成されたコンフィギュレーション装置を備え、前記テストは、前記コンテンツ配信ネットワーク内の一組のノード上のメディア配信アプリケーションを用いて、前記コンテンツ配信ネットワークから受信したコンテンツを、前記テストを実施するためのユーザ入力を必要とすることなく、再生することを含み、
前記コンフィギュレーション情報を前記一組のノードに提供するように構成されたコンフィギュレーションサーバを備え、前記コンフィギュレーション情報は、前記ノードによって前記テストに参加するために使用される、システム。
【請求項１４】
前記一組のノードをさらに備え、前記一組のノードのうちの各ノードは、
前記コンフィギュレーション情報を前記コンフィギュレーションサーバから定期的に取得し、
前記コンフィギュレーション情報を用いて前記ノードを前記テストに参加するように構成し、
前記テスト中において、前記ノードに関連するステータス情報を、前記コンテンツ配信ネットワーク内の収集サーバに定期的に提供するように構成されている、請求項１３に記載のシステム。
【請求項１５】
テスト−分析装置をさらに備え、前記テスト−分析装置は、
前記ステータス情報を前記収集サーバから取得し、
前記ステータス情報の視覚表現をユーザに対して表示し、
前記視覚表現を更新するための１つ以上のオプションを前記ユーザに提供するように構成されている、請求項１４に記載のシステム。
【請求項１６】
請求項１〜１２のいずれかに記載の方法をコンピュータに実行させるためのプログラム。
【手続補正書】
【提出日】平成29年12月19日(2017.12.19)
【手続補正１】
【補正対象書類名】特許請求の範囲
【補正対象項目名】全文
【補正方法】変更
【補正の内容】
【特許請求の範囲】
【請求項１】
哺乳動物の標的組織のゲノム配列を分析する方法であって、以下の工程、
前記哺乳動物の前記標的組織のゲノム配列を格納する配列データベースに分析エンジンを接続する工程、
前記分析エンジンによって、前記標的組織の前記ゲノム配列中の複数の所定の特異体質性マーカを特徴付け、特徴付けられた前記特異体質性マーカを使用して特異体質性マーカプロファイルを作成する工程、
前記分析エンジンによって、前記特異体質性マーカプロファイルを利用して、前記標的組織の第1サンプル記録を作成又は更新する工程、
前記分析エンジンによって、前記第1サンプル記録中の前記特異体質性マーカプロファイルと、第2サンプル記録中の第2特異体質性マーカプロファイルとを使用し、それによってマッチングスコアを作成する工程、
ここで、前記特異体質性マーカプロファイルを利用する工程は、特異体質性マーカにその他において関連する状態又は疾患に関して不可知又は無知である、そして、
前記マッチングスコアを使用して前記第1サンプル記録に注釈添付する工程、を有する方法。
【請求項２】
前記所定の特異体質性マーカは、SNP、後生的修飾、反復配列の反復の数、および、所定の制限エンドヌクレアーゼ部位対間の塩基の数から成るグループから選択される請求項１に記載の方法。
【請求項３】
前記複数の所定の特異体質性マーカは、100〜10,000の所定の特異体質性マーカを含む請求項１又は２に記載の方法。
【請求項４】
前記所定の特異体質性マーカは、SNPである請求項１〜３の何れか一項に記載の方法。
【請求項５】
前記所定の特異体質性マーカは、前記ゲノム配列内のそれらの既知の位置に基づいて予め決定される請求項１〜４の何れか一項に記載の方法。
【請求項６】
前記所定の特異体質性マーカは、ランダム選択に基づいて予め決定され、ここで、前記ランダム選択は、前記特異体質性マーカに関連する疾患又は状態に関して不可知又は無知である、請求項１〜５の何れか一項に記載の方法。
【請求項７】
前記所定の特異体質性マーカの少なくとも一部は、各疾患又は状態に関連し、そして、ここで、前記疾患又は状態は互いに無関係の疾患又は状態である、請求項１〜６の何れか一項に記載の方法。
【請求項８】
前記特異体質性マーカプロファイルは、特徴付けられた前記特異体質性マーカの少なくとも一部に関連する疾患又は状態の同定を含まない請求項１〜７の何れか一項に記載の方法。
【請求項９】
前記マッチングスコアは、同一性比率値を含む請求項１〜８の何れか一項に記載の方法。
【請求項１０】
前記マッチングスコアは、同じ哺乳動物から得られた以前のサンプルの少なくとも一つに対するマッチング値、人種グループに特徴的な特異体質性マーカプロファイルに対するマッチング値、年齢グループに特徴的な特異体質性マーカプロファイルに対するマッチング値、および、ある疾患に特徴的な特異体質性マーカプロファイルに対するマッチング値を含む請求項１〜９の何れか一項に記載の方法。
【請求項１１】
配列データベースにおいてゲノム配列を選択する方法であって、以下の工程、
個人に関して、第1ゲノム配列と、関連する第1特異体質性マーカプロファイルとを格納する配列データベースに分析エンジンを接続する工程、
ここで、前記第1特異体質性マーカプロファイルは、前記個人の第1ゲノム配列における複数の所定の特異体質性マーカに対する特徴に基づく、
前記分析エンジンによって、関連する第2特異体質性マーカプロファイルを有する第2ゲノム配列を選択する工程、
ここで、前記選択する工程は、前記第1特異体質性マーカプロファイルと前記第2特異体質性マーカプロファイルと、前記第1特異体質性マーカプロファイルと第2特異体質性マーカプロファイルとの間の所望のマッチングスコアとを使用する、そして、
ここで、前記特異体質性マーカプロファイルは、前記特異体質性マーカにその他において関連する状態又は疾患に関して不可知又は無知であるように使用される、を有する方法。
【請求項１２】
前記所定の特異体質性マーカは、SNP、後生的修飾、反復配列の反復の数、および、所定の制限エンドヌクレアーゼ部位対間の塩基の数、から成るグループから選択される請求項１１に記載の方法。
【請求項１３】
前記複数の所定の特異体質性マーカは、100〜10,000の所定の特異体質性マーカを含む請求項１１又は１２に記載の方法。
【請求項１４】
前記特異体質性マーカプロファイルは、ビット列形式である請求項１１〜１３の何れか一項に記載の方法。
【請求項１５】
前記所望のマッチングスコアは、排他的論理和決定に基づく請求項１１〜１４の何れか一項に記載の方法。
【請求項１６】
前記所望のマッチングスコアは、前記第1ゲノム配列と前記第2ゲノム配列との間の差に対するユーザ定義のカットオフスコアである請求項１１〜１５の何れか一項に記載の方法。
【請求項１７】
前記関連する第2特異体質性マーカプロファイルを有する前記第2ゲノム配列は、第2の個人由来である請求項１１〜１６の何れか一項に記載の方法。
【請求項１８】
前記関連する第2特異体質性マーカプロファイルを有する前記第2ゲノム配列は、前記配列データベースから取り出される請求項１１〜１７の何れか一項に記載の方法。
【請求項１９】
個人の性別を判定するためにゲノム情報を分析する方法であって、以下の工程、
前記個人に対するゲノム配列を格納する配列データベースに分析エンジンを接続する工程、
前記分析エンジンによって、少なくとも1つのX染色体上に位置する複数の対立遺伝子に対する接合性を判定して前記対立遺伝子に対する接合性プロファイルを作成する工程、
前記分析エンジンによって、前記複数の対立遺伝子に対する前記接合性プロファイルを使用して性別判定を導出する工程、そして
前記ゲノム情報を、前記性別判定によって注釈付けする工程、を有する方法。
【請求項２０】
前記接合性は、更に、Y染色体上の少なくとも1つの他の対立遺伝子に関して判定される請求項１９に記載の方法。
【手続補正書】
【提出日】平成30年7月23日(2018.7.23)
【手続補正１】
【補正対象書類名】特許請求の範囲
【補正対象項目名】全文
【補正方法】変更
【補正の内容】
【特許請求の範囲】
【請求項１】
ロック装置がロック状態にある第１の位置と、前記ロック装置がアンロック状態にある第２の位置と、の間で移動可能なロック素子と、
前記ロック素子の前記第１の位置と前記第２の位置との間での移動を制御するように操作可能な第１のロック部材と、
前記第１のロック部材の操作及び／又は前記ロック素子の移動を検出するように配置されている第１のセンサと、
を備える荷物物品を安全にするためのロック装置。
【請求項２】
前記第１のロック部材の操作を検出するように、前記第１のセンサは、前記第１のロック部材と関連付けられている請求項１に記載のロック装置。
【請求項３】
前記ロック素子の移動を検出するように、前記ロック素子に関連付けられている第２のセンサを更に備える請求項２に記載のロック装置。
【請求項４】
前記ロック素子の移動を検出するように、前記第１のセンサは、前記ロック素子に関連付けられている請求項１に記載のロック装置。
【請求項５】
前記ロック素子の前記第１の位置と前記第２の位置との間での移動を制御するように操作可能な第２のロック部材を更に備える請求項１〜４のいずれか一項に記載のロック装置。
【請求項６】
前記第２のロック部材の操作を検出するように、前記第２のロック部材に関連付けられている追加センサを更に備える請求項５に記載のロック装置。
【請求項７】
前記センサのうちの一つ以上は電子センサである請求項１〜６のいずれか一項に記載のロック装置。
【請求項８】
一つ以上のセンサは、物理的力の印加を検出するように配置されている触覚センサを備える請求項７に記載のロック装置。
【請求項９】
一つ以上のセンサは、移動を検出するように操作可能な位置センサを備える請求項１〜８のいずれか一項に記載のロック装置。
【請求項１０】
前記一つ以上のセンサからのデータを処理するための処理部材を更に備え、前記処理部材は、一定時間にわたって検出された物理的力又は移動に基づいて試し作動イベントを区別するように配置されている請求項１〜９のいずれか一項に記載のロック装置。
【請求項１１】
ハウジングと、
前記ハウジングに対して、ロック装置がロック状態にある第１の位置と前記ロック装置がアンロック状態にある第２の位置との間で移動可能なロック素子と、
少なくとも一部が前記ハウジング内に延在し、キーにより操作されるキーシリンダであって、ロック状態に設定される場合に、前記ロック素子の前記第１の位置から前記第２の位置への移動を制限するとともに、キーにより作動される場合に、前記ロック素子の前記第１の位置から前記第２の位置への移動を許可するように構成されているキーシリンダと、
ロック状態にある場合に、前記ロック素子の移動を制限するとともに、予め定義された組合せにある場合に、前記ロック素子の移動を許可するように構成されているコンビネーションロックと、
前記キーシリンダに挿入されたキーにより作動可能な第１のセンサと、
前記ロック素子の前記第１の位置と前記第２の位置との間での移動により作動可能な第２のセンサと、
前記第１のセンサと前記第２のセンサから受信するデータを処理する中央処理装置と、
前記中央処理装置により処理されるデータを記憶するメモリと、
前記第１のセンサ及び前記第２のセンサから受信するデータを含む無線信号を送受信するトランシーバーと、
を備えるロック装置。
【請求項１２】
荷物物品に関連付けられたロック装置のロック状態を監視する方法であって、
ロック機構を監視することにより、前記ロック機構の作動を検出するステップと、
検出された一つ以上の作動をデータとしてメモリに記憶するステップと、
を備える方法。
【請求項１３】
検出された一つ以上の作動又は移動に関連付けられているデータを、ロック装置から離れた電子装置に送信するステップを更に備える請求項１２に記載の方法。
【請求項１４】
ネットワークから受信された位置情報及び荷物物品の少なくとも一つ以上のロックからの状態情報を含む情報を採集するための追跡装置と、
予定イベントが発生した場合に前記ネットワークを介して情報を送信する送信装置と、を備える荷物追跡装置であって、
前記荷物物品内に集積するように配置されていることを特徴とする荷物追跡装置。
【請求項１５】
一つ以上のロック機構と、前記一つ以上のロック機構により作動を検出するための一つ以上のセンサと、前記一つ以上のセンサからのデータを処理することにより作動イベントを識別するためのプロセッサと、作動イベントの詳細を遠隔デバイスに送信するための送信器と、を含むロック装置と、
位置情報データを含む一つ以上の信号を受信するための受信器と、前記受信器により受信されるデータを処理することにより位置情報を確定するためのプロセッサと、位置情報を遠隔デバイスに送信するための送信器と、を含む追跡装置と、
を備える荷物物品の追跡監視用のシステム。
【手続補正書】
【提出日】平成30年5月15日(2018.5.15)
【手続補正１】
【補正対象書類名】明細書
【補正対象項目名】００７７
【補正方法】変更
【補正の内容】
【００７７】
前述のＭＶＣターゲット・システム１は、特に、
クライアント端末によって送られたＨＴＴＰ要求を受け取り、このＨＴＴＰ要求に従ってページ・テンプレートＭｏｄｅｌＭａｐを生成するＭｏｄｅｌＭａｐモジュール１１、
生成されたページ・テンプレートＭｏｄｅｌＭａｐに処理対象情報を送り込み、インターセプタによって送られた処理済機密情報を受け取る情報Ｃｏｎｔｒｏｌｌｅｒモジュール１２、
ページ・テンプレートＭｏｄｅｌＭａｐ内の、対応する処理対象情報を、Ｃｏｎｔｒｏｌｌｅｒモジュール１２によって受け取られた処理済機密情報によって置き換え、更に、ＨＴＴＰ要求に対応するページのレンダリングを完遂するものであり得るＶｅｌｏｃｉｔｙモジュール１３、及び
クライアント端末にレンダリングされたページを送るリターン・モジュール１４、
を含み得る。
【手続補正２】
【補正対象書類名】明細書
【補正対象項目名】００８６
【補正方法】変更
【補正の内容】
【００８６】
本出願の機密情報処理方法、装置、及び、サーバにおいて機密情報を識別し、処理するという概念により、本出願は更にセキュリティ決定システムを提供する。このセキュリティ決定システムは、ページ・サーバが安全かどうかを決定し、ページ・サーバのセキュリティ性能を決定するために用いられ得、更に、複数のサーバ・システムの間におけるセキュリティの比較、及び、低セキュリティのサーバの遅れの無いメンテナンスのために用いられ得、サーバのセキュリティを改善し得る。図１１は、本出願によるセキュリティ決定システムの概略モジュール構成図である。図１１に示すように、セキュリティ決定システムは、
機密情報を保存し、第２の処理対象機密情報ユニットによって送られた変数名を受け取り、保存された機密情報が受け取った変数名を含むかどうかを決定し、決定の結果が、受け取った変数名を機密情報ライブラリが含まないということであるとき、新規追加機密情報として変数名を保存する第２の機密情報ライブラリ２０１、
ページ内の処理対象情報取得し、第２の機密情報ライブラリ２０１に保存された機密情報に基づいて、処理対象情報が機密情報であるかどうかを決定する第２の機密情報識別ユニット２０２、
機密情報処理ストラテジーを保存し、処理対象情報が機密情報であると機密情報識別ユニット２０２が決定するとき、保存された機密情報処理ストラテジーに基づいて、処理対象情報を処理して、処理済機密情報を作成する第２の情報処理ユニット２０３、
予め設定された機密情報モニタリング・ストラテジーを保存し、保存した機密情報モニタリング・ストラテジーに従って、ページ・サーバのＭＶＣフレームワーク構造におけるＭｏｄｅｌＭａｐ内の変数情報の値が処理対象機密情報であるどうかを決定し、変数情報の値が処理対象機密情報であると決定するとき、変数情報の値に対応する変数名を第２の機密情報ライブラリ２０１へ送るモニタリング・ユニット２０４、
第２の機密情報ライブラリ２０１における新規追加機密情報の数を含み得る新規追加機密情報ログ（を生成する新規追加機密情報ログ・ユニット２０５、
モニタリング・ユニット２０４によって決定された処理対象機密情報の数を含み得る処理対象機密情報ログを生成する処理対象機密情報ログ・ユニット２０６、及び
第１のターゲット・システムの新規追加機密情報ログまたは処理対象機密情報ログまたは第２の機密情報ライブラリのデータを取得し、予め設定された決定ルールによって、第１のターゲット・システムが属するセキュリティ・レベルを決定する第１のセキュリティ決定ユニット２０７、
を含み得る。
【手続補正３】
【補正対象書類名】図面
【補正対象項目名】図１０
【補正方法】変更
【補正の内容】
【図１０】
2017532649.tif 000001
【手続補正書】
【提出日】平成30年8月14日(2018.8.14)
【手続補正１】
【補正対象書類名】明細書
【補正対象項目名】０００１
【補正方法】変更
【補正の内容】
【０００１】
現在のメディアキャンペーンでは、特定のメディア要素の外観や印象に関する大量の情報を用いて、カスタムマーケティングが行われ、情報が発信されている。これらの情報は、構造化されたフォーマットで配信されることもあれば、そうでないこともある。さらに、構造化されたフォーマットで配信された場合、メディアの開発に用いるための、情報構造を標準化する統一した規則が存在しない。
この出願の発明に関連する先行技術文献情報としては、以下のものがある（国際出願日以降国際段階で引用された文献及び他国に国内移行した際に引用された文献を含む）。
（先行技術文献）
（特許文献）
（特許文献１）  米国特許出願公開第２００２／００９９７３５号明細書
（特許文献２）  米国特許出願公開第２００６／０１０１３３２号明細書
（特許文献３）  米国特許出願公開第２００９／０３０００５４号明細書
（特許文献４）  米国特許出願公開第２０１２／０２７８７０５号明細書
（特許文献５）  米国特許出願公開第２０１２／０３０３６４５号明細書
（特許文献６）  米国特許出願公開第２０１３／０３３９８４３号明細書
（特許文献７）  米国特許出願公開第２０１６／００６３５７６号明細書
（特許文献８）  米国特許第８，２３０，３３２号明細書
（特許文献９）  カナダ国特許出願公開第２９５９５３０号明細書
（特許文献１０）欧州特許出願公開第３１９５１４４号明細書
（特許文献１１）特表２０１７−５３２６４７号公報
（特許文献１２）国際公開第２０１６／０３３３３５号
（非特許文献）
（非特許文献１）  Ｉｎｔｅｒｎａｔｉｏｎａｌ  Ｓｅａｒｃｈ  Ｒｅｐｏｒｔ  ａｎｄ  Ｗｒｉｔｔｅｎ  Ｏｐｉｎｉｏｎ  ｆｏｒ  ＰＣＴ／ＵＳ２０１５／０４７２０５  ｄａｔｅｄ  Ｎｏｖｅｍｂｅｒ  ３０，２０１５
（非特許文献２）  Ｓｕｐｐｌｅｍｅｎｔａｒｙ  Ｅｕｒｏｐｅａｎ  Ｓｅａｒｃｈ  Ｒｅｐｏｒｔ  ｆｏｒ  ＥＰ  １５８３７０５１  ｄａｔｅｄ  Ｊａｎｕａｒｙ  ２２，２０１８
【手続補正書】
【提出日】平成30年7月19日(2018.7.19)
【手続補正１】
【補正対象書類名】特許請求の範囲
【補正対象項目名】全文
【補正方法】変更
【補正の内容】
【特許請求の範囲】
【請求項１】
コンテキスト依存の仮想距離を決定するための方法であって、
クライアントデバイスの近傍のワイヤレス環境に関係する環境ステータス情報を取得するステップと、
ユーザと前記クライアントデバイスとの間の物理的近接度を推定するステップと、
前記取得された環境ステータス情報に基づいて、前記物理的近接度の前記推定を増やすまたは減らすことによって前記コンテキスト依存の仮想距離を計算するステップと、
前記計算されたコンテキスト依存の仮想距離に基づいて、前記クライアントデバイスのユーザシグナリングパターンを制御するステップと
を含む、方法。
【請求項２】
前記物理的近接度を推定するステップが、第1のユーザと第1のクライアントデバイスとの間の第1の物理的近接度を推定するステップを含み、前記方法が、環境内の第2のユーザと第2のクライアントデバイスとの間の第2の物理的近接度を推定するステップをさらに含み、前記第1の物理的近接度および前記第2の物理的近接度が実質的に等しく、
前記コンテキスト依存の仮想距離を計算するステップが、前記取得された環境ステータス情報と前記推定された第1の物理的近接度の両方に基づいて第1の仮想距離を計算するステップを含み、前記方法が、前記取得された環境ステータス情報と前記推定された第2の物理的近接度の両方に基づいて第2の仮想距離を計算するステップをさらに含み、前記第1の仮想距離および前記第2の仮想距離が実質的に異なる、
請求項1に記載の方法。
【請求項３】
前記コンテキスト依存の仮想距離を計算するステップが、前記クライアントデバイスのクライアントデバイスタイプに基づいて前記コンテキスト依存の仮想距離を計算するステップをさらに含む、請求項1に記載の方法。
【請求項４】
前記環境ステータス情報を取得するステップが、1つまたは複数のコンテキスト上のデバイスから前記環境ステータス情報を取得するステップを含み、
前記コンテキスト依存の仮想距離を計算するステップが、前記1つまたは複数のコンテキスト上のデバイスのコンテキスト上のデバイスタイプに基づいてコンテキスト依存の仮想距離を計算するステップをさらに含む、請求項1に記載の方法。
【請求項５】
前記計算されたコンテキスト依存の仮想距離に基づいて、前記クライアントデバイスの第1のユーザシグナリングパターンに応答して前記ユーザの応答反応時間を予測するステップ
をさらに含み、
前記ユーザシグナリングパターンを制御するステップが、前記予測される応答反応時間に基づいて前記ユーザシグナリングパターンを制御するステップを含む、
請求項1に記載の方法。
【請求項６】
前記計算されるコンテキスト依存の仮想距離が、前記ユーザが前記クライアントデバイスにアクセスすることは困難であろうという予想に基づいて増やされ、
前記予測される応答反応時間が、前記計算されるコンテキスト依存の仮想距離の増加に基づいて増やされる、
請求項5に記載の方法。
【請求項７】
前記計算されるコンテキスト依存の仮想距離が、前記ユーザが所与の通信タイプを用いて所与の通信に応答するために前記クライアントデバイスに間接的に移動することになるという予想に基づいて増やされ、
前記予測される応答反応時間が、前記計算されるコンテキスト依存の仮想距離の増加に基づいて増やされる、
請求項5に記載の方法。
【請求項８】
対話型ビデオおよび/または音声対話に関する前記計算されるコンテキスト依存の仮想距離が、非対話型ビデオ、音声、および/またはテキスト対話に関する前記計算されるコンテキスト依存の仮想距離に比べて増やされ、
対話型ビデオおよび/または音声対話に関する前記予測される応答反応時間が、非対話型ビデオ、音声、および/またはテキスト対話に関する前記予測される応答反応時間に比べて増やされる、
請求項5に記載の方法。
【請求項９】
前記方法が、前記クライアントデバイスで、別のクライアントデバイスで、またはリモートデバイスで実行される、請求項1に記載の方法。
【請求項１０】
環境が、モノのインターネット(IoT)環境である、請求項1に記載の方法。
【請求項１１】
(i)前記ユーザと前記クライアントデバイスとの間の対話、(ii)前記環境ステータス情報の変化、(iii)前記ユーザと前記クライアントデバイスとの間の推定される物理的近接度の変化、または(iv)それらの組合せのうちの少なくとも1つを追跡するステップ
をさらに含み、
前記コンテキスト依存の仮想距離を計算するステップが、(i)前記ユーザと前記クライアントデバイスとの間の対話、(ii)前記環境ステータス情報の変化、(iii)前記ユーザと前記クライアントデバイスとの間の推定される物理的近接度の変化、または(iv)それらの組合せのうちの少なくとも1つに基づいて前記コンテキスト依存の仮想距離を計算するステップをさらに含む、
請求項1に記載の方法。
【請求項１２】
前記計算されたコンテキスト依存の仮想距離に基づいて、電力使用パターンを調整するステップ
をさらに含む、請求項1に記載の方法。
【請求項１３】
追跡される活動に基づいてコンテキスト依存の仮想距離を決定するための装置であって、
クライアントデバイスの近傍の環境に関係する環境ステータス情報を取得するための手段と、
前記クライアントデバイスと前記クライアントデバイスのユーザとの間の物理的近接度を推定するための手段と、
前記取得された環境ステータス情報に基づいて、前記物理的近接度の前記推定を増やすまたは減らすことによって前記コンテキスト依存の仮想距離を計算するための手段と、
前記計算されたコンテキスト依存の仮想距離に基づいて、前記クライアントデバイスのユーザシグナリングパターンを制御するための手段と、
データおよび命令を記憶するための手段と
を含む、装置。
【請求項１４】
プロセッサによって実行されると、追跡される活動に基づいてコンテキスト依存の仮想距離を決定するための動作を前記プロセッサに行わせるコードを含む、非一時的コンピュータ可読記憶媒体であって、
クライアントデバイスの近傍の環境に関係する環境ステータス情報を取得するためのコードと、
前記クライアントデバイスと前記クライアントデバイスのユーザとの間の物理的近接度を推定するためのコードと、
前記取得された環境ステータス情報に基づいて、前記物理的近接度の前記推定を増やすまたは減らすことによって前記コンテキスト依存の仮想距離を計算するためのコードと、
前記計算されたコンテキスト依存の仮想距離に基づいて、前記クライアントデバイスのユーザシグナリングパターンを制御するためのコードと
を含む、非一時的コンピュータ可読記憶媒体。
【手続補正書】
【提出日】平成30年7月24日(2018.7.24)
【手続補正１】
【補正対象書類名】特許請求の範囲
【補正対象項目名】全文
【補正方法】変更
【補正の内容】
【特許請求の範囲】
【請求項１】
ワイヤレス通信のための方法であって、
第１のタイプのユーザ機器（ＵＥ）との第１のタイプの通信のためのシステム帯域幅内のワイヤレスリソースの予約済みセットと、前記予約済みセットの外部にあり、かつ前記システム帯域幅内にある残りのワイヤレスリソースとを識別することと、
第２のタイプのＵＥとの第２のタイプの通信のために前記残りのワイヤレスリソースのサブセットを割り振ることと、ここにおいて、前記第１のタイプの通信と前記第２のタイプの通信とが、ラウンドトリップ時間（ＲＴＴ）またはデューティサイクルタイミングのうちの少なくとも１つに基づいて異なる、
を備え、
前記第１のタイプの通信が、第１の送信時間間隔（ＴＴＩ）をもつ第１のサブフレームタイプを有し、前記第２のタイプの通信が、前記第１のＴＴＩよりも小さい第２のＴＴＩをもつ第２のサブフレームタイプを有し、
前記第２のタイプの通信が、前記第１のタイプの通信におけるそのような確認応答よりも短い時間スケールで送信の受信の確認応答を与えるように構成された、方法。
【請求項２】
前記第１のタイプの通信と前記第２のタイプの通信とが、ＲＴＴに基づいて異なり、ここにおいて、
前記第１のタイプの通信が、第１のＲＴＴをもつ第１のサブフレームタイプを有し、  前記第２のタイプの通信が、前記第１のＲＴＴよりも小さい第２のＲＴＴをもつ第２のサブフレームタイプを有する、請求項１に記載の方法。
【請求項３】
前記第１のタイプの通信と前記第２のタイプの通信とが、デューティサイクルタイミングに基づいて異なり、ここにおいて、
前記第１のタイプの通信が第１のデューティサイクルに関連し、前記システム帯域幅の部分量または全量のいずれかを利用し、
前記第２のタイプの通信が、前記第１のデューティサイクルよりも小さい第２のデューティサイクルに関連し、前記システム帯域幅よりも小さい帯域幅を利用する、請求項１に記載の方法。
【請求項４】
前記割り振ることが、
前記第２のタイプのＵＥのうちの少なくとも１つの存在を識別することと、
前記第２のタイプのＵＥのうちの前記識別された少なくとも１つに提供されるべきデータサービスのタイプを識別することと、
前記第２のタイプのＵＥに提供されるべきデータサービスの前記タイプに少なくとも部分的に基づいて、前記残りのワイヤレスリソースの前記サブセットを決定することと
を備える、請求項１に記載の方法。
【請求項５】
前記割り振ることは、
前記第２のタイプのＵＥに提供されるべきデータサービスの前記タイプのためのデータキュー中のデータの量がしきい値を下回ると決定することと、
前記第１のタイプの通信を提供するために前記残りのワイヤレスリソースの前記サブセットの少なくとも一部分を動的に再割り振りすることと
を備える、請求項４に記載の方法。
【請求項６】
アップリンクデータが前記第２のタイプの通信を使用して送信されるべきであるという送信を前記第２のタイプのＵＥから受信すること
をさらに備え、
ここにおいて、前記割り振ることが、前記第２のタイプのＵＥからの前記送信に少なくとも部分的に基づく、請求項１に記載の方法。
【請求項７】
前記割り振ることが、前記第２のタイプのＵＥの存在、またはデータサービスのタイプ、あるいはそれらの任意の組合せに基づいて半静的に実行される、請求項１に記載の方法。
【請求項８】
前記残りのワイヤレスリソースの前記割り振られたサブセットの指示を送信することをさらに備える、請求項１に記載の方法。
【請求項９】
前記指示は、
サブフレーム内の前記残りのワイヤレスリソースが前記第２のタイプの通信のために構成されたかどうかを示す存在指示チャネル
を備える、請求項８に記載の方法。
【請求項１０】
前記指示は、
前記第２のタイプの通信のために構成されたサブフレーム内の前記残りのワイヤレスリソースの前記サブセットについての形状または量を示す存在指示チャネル
を備える、請求項８に記載の方法。
【請求項１１】
第３のタイプのＵＥとの第３のタイプの通信のために前記残りのワイヤレスリソースからのワイヤレスリソースの他のサブセットを割り振ることと、ワイヤレスリソースの前記他のサブセットが前記残りのワイヤレスリソースの前記サブセットとは異なる、
前記残りのワイヤレスリソースの前記割り振られたサブセットとワイヤレスリソースの前記他のサブセットとの指示を、前記第２のタイプのＵＥ、前記第３のタイプのＵＥ、またはそれらの任意の組合せに送信することと
をさらに備える、請求項１に記載の方法。
【請求項１２】
前記第２のタイプのＵＥがマシンタイプ通信（ＭＴＣ）ＵＥを備える、請求項１１に記載の方法。
【請求項１３】
前記残りのワイヤレスリソースの前記他のサブセットは、前記ＭＴＣ  ＵＥが前記第１のタイプの通信とは無関係に前記第２のタイプの通信を受信するのに十分な制御および同期シグナリングを備える、請求項１２に記載の方法。
【請求項１４】
ワイヤレス通信のための装置であって、
第１のタイプのユーザ機器（ＵＥ）との第１のタイプの通信のためのシステム帯域幅内のワイヤレスリソースの予約済みセットと、前記予約済みセットの外部にあり、かつ前記システム帯域幅内にある残りのワイヤレスリソースとを識別するための手段と、
第２のタイプのＵＥとの第２のタイプの通信のために前記残りのワイヤレスリソースのサブセットを割り振るための手段と、ここにおいて、前記第１のタイプの通信と前記第２のタイプの通信とが、ラウンドトリップ時間（ＲＴＴ）またはデューティサイクルタイミングのうちの少なくとも１つに基づいて異なる、
を備え、
前記第１のタイプの通信が、第１の送信時間間隔（ＴＴＩ）をもつ第１のサブフレームタイプを有し、前記第２のタイプの通信が、前記第１のＴＴＩよりも小さい第２のＴＴＩをもつ第２のサブフレームタイプを有し、
前記第２のタイプの通信が、前記第１のタイプの通信におけるそのような確認応答よりも短い時間スケールで送信の受信の確認応答を与えるように構成された、装置。
【請求項１５】
実行されると、コンピュータに、請求項１〜１３のいずれか一項に記載の方法を実施させる命令を備える、コンピュータプログラム。
【手続補正書】
【提出日】平成30年6月12日(2018.6.12)
【手続補正１】
【補正対象書類名】特許請求の範囲
【補正対象項目名】全文
【補正方法】変更
【補正の内容】
【特許請求の範囲】
【請求項１】
無線通信ネットワークのためのＤ２Ｄ対応ノード（１０）であって、前記Ｄ２Ｄ対応ノード（１０）は、少なくとも２つのキャリア又は帯域（ｆ１，ｆ２）を含むキャリア又は帯域の組み合わせのために適合され、前記Ｄ２Ｄ対応ノードは、Ｄ２Ｄ動作のために前記２つのキャリア又は帯域（ｆ１，ｆ２）の少なくとも１つを使用し、セルラー動作のために前記少なくとも２つのキャリア又は帯域（ｆ１，ｆ２）の残りの少なくとも１つを使用するように適合される、Ｄ２Ｄ対応ノード。
【請求項２】
前記Ｄ２Ｄ対応ノード（１０）は、キャリア及び／又は帯域の少なくとも１つの組み合わせを含む能力情報を取得するために適合され、前記Ｄ２Ｄ対応ノードは、前記組み合わせで同時Ｄ２Ｄ及びセルラー動作のために構成されるように適合される、請求項１に記載のＤ２Ｄ対応ノード。
【請求項３】
前記Ｄ２Ｄ対応ノード（１０）は、前記Ｄ２Ｄ対応ノードの能力に関する能力情報をネットワークノード及び／又は第２Ｄ２Ｄ対応ノードへ送信するために適合され、前記能力情報は、Ｄ２Ｄ及びセルラー動作を同時に実行するように前記Ｄ２Ｄ対応ノードが構成されうるキャリア及び／又は周波数帯の組み合わせを示しうる、請求項１又は２に記載のＤ２Ｄ対応ノード。
【請求項４】
無線通信ネットワークのためのＤ２Ｄ対応ノード（１０）であって、前記Ｄ２Ｄ対応ノード（１０）は、別のＤ２Ｄ対応ノードに関する能力情報を受信するように適合され、前記能力情報は、Ｄ２Ｄ及びセルラー動作を同時に実行するように前記別のＤ２Ｄ対応ノードが構成されうるキャリア及び／又は帯域の少なくとも１つの組み合わせを示す、Ｄ２Ｄ対応ノード。
【請求項５】
前記Ｄ２Ｄ対応ノード（１０）は、前記能力情報を要求するように適合される、請求項４に記載のＤ２Ｄ対応ノード。
【請求項６】
無線通信ネットワークのためのＤ２Ｄ対応ノード（１０）を動作させるための方法であって、前記Ｄ２Ｄ対応ノード（１０）は、少なくとも２つのキャリア又は帯域（ｆ１，ｆ２）を含むキャリア又は帯域の組み合わせのために適合され、前記Ｄ２Ｄ対応ノードは、Ｄ２Ｄ動作のために前記２つのキャリア又は帯域（ｆ１，ｆ２）の少なくとも１つを使用し、セルラー動作のために前記少なくとも２つのキャリア又は帯域（ｆ１，ｆ２）の残りの少なくとも１つを使用する、方法。
【請求項７】
前記方法は、キャリア及び／又は帯域の少なくとも１つの組み合わせを含む能力情報を取得することを更に有し、前記Ｄ２Ｄ対応ノードは、前記組み合わせで同時Ｄ２Ｄ及びセルラー動作を実行するように構成されうる、請求項６に記載の方法。
【請求項８】
前記方法は、前記Ｄ２Ｄ対応ノードの能力に関する能力情報をネットワークノード及び／又は第２Ｄ２Ｄ対応ノードへ送信することを更に有し、前記能力情報は、Ｄ２Ｄ及びセルラー動作を同時に実行するように前記Ｄ２Ｄ対応ノードが構成されうるキャリア及び／又は周波数帯の組み合わせを示しうる、請求項６又は７に記載の方法。
【請求項９】
Ｄ２Ｄ対応ノード（１０）を動作させるための方法であって、前記方法は、別のＤ２Ｄ対応ノードに関する能力情報を受信することを有し、前記能力情報は、Ｄ２Ｄ及びセルラー動作を同時に実行するように前記別のＤ２Ｄ対応ノードが構成されうるキャリア及び／又は帯域の少なくとも１つの組み合わせを示す、方法。
【請求項１０】
前記能力情報を要求することを更に有する、請求項９に記載の方法。
【請求項１１】
無線通信ネットワークのためのネットワークノード（１００）であって、前記ネットワークノード（１００）は、第１Ｄ２Ｄ対応ノード（１０）から、前記第１Ｄ２Ｄ対応ノードの能力情報を含む能力インジケーションを受信するために適合され、前記能力情報は、Ｄ２Ｄ及びセルラー動作のために前記第１Ｄ２Ｄ対応ノードが構成されるように適合されうるキャリア及び／又は帯域の少なくとも１つの組み合わせを示しうる、ネットワークノード。
【請求項１２】
前記ネットワークノード（１００）は、１つ以上の無線動作タスクのために前記受信した能力情報を使用するために適合される、請求項１１に記載のネットワークノード（１００）。
【請求項１３】
ネットワークノード（１００）を動作させるための方法であって、前記方法は、第１Ｄ２Ｄ対応ノード（１０）から、前記第１Ｄ２Ｄ対応ノードの能力情報を含む能力インジケーションを受信することを有し、前記能力情報は、Ｄ２Ｄ及びセルラー動作のために前記第１Ｄ２Ｄ対応ノードが構成されるように適合されうるキャリア及び／又は帯域の少なくとも１つの組み合わせを示しうる、方法。
【請求項１４】
１つ以上の無線動作タスクのために前記受信した能力情報を使用することを更に有する、請求項１３に記載の方法。
【請求項１５】
制御回路によって実行可能な命令を含むコンピュータプログラムであって、前記命令は前記制御回路によって実行された場合に請求項６乃至１０又は１３乃至１４の何れか１項に記載の方法を前記制御回路に実行及び／又は制御させる、コンピュータプログラム。
【請求項１６】
制御回路によって実行可能な命令を格納するように適合された記憶媒体であって、前記命令は請求項６乃至１０又は１３乃至１４の何れか１項に記載の方法を前記制御回路に実行及び／又は制御させる、記憶媒体。